(57)【要約】【課題】測定手段の制御部を書き換えることなく、測定機能の異なる測定ユニットに簡単に交換可能にする。【解決手段】携帯型測定器１は単一の筐体から分割された測定ユニット１０と共通ユニット２とで構成されている。共通ユニット２には、操作部，表示部６，インターフェース部７，制御部８からなる共通手段３が設けられている。測定ユニット１０には、ＯＴＤＲ１１と、共通手段３からの指令の基づきＯＴＤＲ１１の測定を行わせ、測定データを制御部８に演算処理をさせるプログラムが記憶されている記憶部１２が設けられている。共通ユニット２の断面６ｂにはコネクタ９が露出されている。測定ユニット１０の断面１３ａにはコネクタ１４が露出されている。断面６ｂの周縁部と断面１３ａとの周縁部とを整合させてコネクタ９，１４とを連結させ、ＯＴＤＲ１１と共通手段３との間でデータを送受させる。【選択図】図２
2007147650.tif 000002
【特許請求の範囲】
【請求項１】
測定の指示を入力するための操作部（５）と、それ自体固有の測定を行う測定手段（１１）と、測定結果を表示する表示部（６）と、外部機器との間でデータの入出力を行うインターフェース部（７）と、前記操作部，前記測定手段，前記表示部及び前記インターフェース部を制御するＣＰＵ（８）と、該ＣＰＵが前記操作部，前記測定手段，前記表示部及び前記インターフェース部を制御するためのプログラムを記憶するメモリ（１２）と、前記操作部，前記測定手段，前記表示部，前記インターフェース部，前記メモリ及び前記ＣＰＵを収納する筐体と、を備える携帯型測定器において、
前記筐体が、共通ユニット（２）と測定ユニット（１０）とに分割可能であって、
前記共通ユニット（２）は、前記操作部（５）と前記表示部（６）と前記インターフェース部（７）とＣＰＵ（８）とを備え、
前記測定ユニット（１０）は、前記測定手段（１１）と前記メモリ（１２）とを備え、
さらに、前記共通ユニットは、前記操作部，前記表示部，前記インターフェース部，前記ＣＰＵ，並びに前記ＣＰＵと前記メモリ及び前記測定手段との間でデータ及び制御信号を送受するための第一のコネクタ（９）を備え、
前記測定ユニットは、前記第一のコネクタに嵌合される第二のコネクタ（１４）を備えており、
前記測定手段は、前記第一のコネクタに前記第二のコネクタを嵌合して前記共通ユニットと前記測定ユニットとを単一の筐体にした状態で、前記操作部からの入力に伴う前記ＣＰＵからの測定指令により前記メモリのプログラムの手順にしたがって前記固有の測定を行うことを特徴とする携帯型測定器。
【請求項２】
さらに、前記メモリ（１２）が前記測定手段（１１）で取得した測定データを記憶し、前記ＣＰＵ（８）が前記メモリのプログラムにしたがって当該メモリに記憶された測定データを演算処理することを特徴とする請求項１記載の携帯型測定器。
【請求項３】
前記共通ユニット（２）の分割されたところの第一の断面（６ｂ）と、前記測定ユニット（１０）の分割されたところの第二の断面（１３ａ）とはその輪郭において同じであり、前記第一のコネクタ（９）は前記第一の断面に露出されており、前記第二のコネクタ（１４）は前記第二の断面に露出されており、また、前記第一の断面と前記第二の断面とを整合させて前記共通ユニットと前記測定ユニットとを固定させるとともに、前記第一のコネクタと前記第二のコネクタとの嵌合を確保するための固定手段を備えたことを特徴とする請求項１または２記載の携帯型測定器。
【発明の詳細な説明】
【技術分野】
【０００１】
本発明は、固有の測定機能を有する複数の測定ユニットから１つ選択して、各測定ユニットに共通する共通ユニットと一体化した携帯型測定器に係り、特に、メモリの書き換えが不要になる携帯型測定器に関する。
【背景技術】
【０００２】
図４は従来の共通ユニット５１と測定ユニット５７を一体化してなる携帯型測定器５０の概略図である。共通ユニット５１には、表示部５２、操作部５３、メモリ５４、不図示の外部機器用インターフェース及びＣＰＵ５５が設けられている。一方、測定ユニット５７には固有の測定機能を有する測定手段５７、例えば、ＯＴＤＲ，光スペクトルアナライザ等のハードウェアが搭載されている。したがって、光ファイバの損失測定等を行う場合は、ＯＴＤＲ用の測定ユニット５７ａを共通ユニット５１のスロット５６に差し込んで測定を行っている。また、パルス波のスペクトラム分析，信号の高調波ひずみの分析を行う場合は、光スペクトルアナライザ用の測定ユニット５７ｂを共通ユニット５１のスロット５６に差し込んで測定を行っている。
【発明の開示】
【発明が解決しようとする課題】
【０００３】
しかし、共通ユニット５１には、予め専用のメモリ５４、例えば、ＯＴＤＲ測定用のプログラムが記憶されているメモリが搭載されている。このため、次に、パルス波のスペクトラム分析，信号の高調波ひずみの分析を行う場合、光スペクトルアナライザ用の測定ユニット５７ｂを共通ユニット５１のスロット５６に差し込んでも、共通ユニット５１側のメモリ５４に記憶されているプログラムが異なるため、光スペクトルアナライザを構成しない。したがって、メモリ５４の内容を光スペクトルアナライザ用のプログラムに書き換えざるを得なかった。
【０００４】
そこで、本発明は、上記問題点に鑑みてなされたものであり、その目的とするところは、測定手段，操作部，表示部及びインターフェース部を制御するＣＰＵを共通ユニットに設け、ＣＰＵが測定手段，操作部，表示部及びインターフェース部を制御するためのプログラムを記憶するメモリを測定ユニットに設けることにより、測定ユニット側に測定機能に応じたプログラムを有することとなり、そのプログラムを書き換えることなく、測定ユニットを交換することで異なる機能の測定を可能にすることにある。
【０００５】
また他の目的は、第一の断面の周縁部と第二の断面との周縁部とを整合させて、第一のコネクタと第二のコネクタとを連結することにより、結合された筐体をコンパクトでかつ携帯性の向上を図ることにある。
【課題を解決するための手段】
【０００６】
上記目的を達成するため、本発明の請求項１に記載された携帯型測定器は、測定の指示を入力するための操作部５と、それ自体固有の測定を行う測定手段１１と、測定結果を表示する表示部６と、外部機器との間でデータの入出力を行うインターフェース部７と、前記操作部，前記測定手段，前記表示部及び前記インターフェース部を制御するＣＰＵ８と、該ＣＰＵが前記操作部，前記測定手段，前記表示部及び前記インターフェース部を制御するためのプログラムを記憶するメモリ１２と、前記操作部，前記測定手段，前記表示部，前記インターフェース部，前記メモリ及び前記ＣＰＵを収納する筐体と、を備える携帯型測定器において、
前記筐体が、共通ユニット２と測定ユニット１０とに分割可能であって、
前記共通ユニット２は、前記操作部５と前記表示部６と前記インターフェース部７とＣＰＵ８とを備え、
前記測定ユニット１０は、前記測定手段１１と前記メモリ１２とを備え、
さらに、前記共通ユニットは、前記操作部，前記表示部，前記インターフェース部，前記ＣＰＵ，並びに前記ＣＰＵと前記メモリ及び前記測定手段との間でデータ及び制御信号を送受するための第一のコネクタ９を備え、
前記測定ユニットは、前記第一のコネクタに嵌合される第二のコネクタ１４を備えており、
前記測定手段は、前記第一のコネクタに前記第二のコネクタを嵌合して前記共通ユニットと前記測定ユニットとを単一の筐体にした状態で、前記操作部からの入力に伴う前記ＣＰＵからの測定指令により前記メモリのプログラムの手順にしたがって前記固有の測定を行うことを特徴とする。
【０００７】
本発明の請求項２に記載された携帯型測定器は、請求項１の携帯型測定器において、さらに、前記メモリ１２が前記測定手段１１で取得した測定データを記憶し、前記ＣＰＵ８が前記メモリのプログラムにしたがって当該メモリに記憶された測定データを演算処理することを特徴とする。
【０００８】
本発明の請求項３に記載された携帯型測定器は、請求項１または２の携帯型測定器において、前記共通ユニット２の分割されたところの第一の断面６ｂと、前記測定ユニット１０の分割されたところの第二の断面１３ａとはその輪郭において同じであり、前記第一のコネクタ９は前記第一の断面に露出されており、前記第二のコネクタ１４は前記第二の断面に露出されており、また、前記第一の断面と前記第二の断面とを整合させて前記共通ユニットと前記測定ユニットとを固定させるとともに、前記第一のコネクタと前記第二のコネクタとの嵌合を確保するための固定手段を備えたことを特徴とする。
【０００９】
本発明の携帯型測定器は、第一の断面に対し、第二の断面を対面させる。第一の断面と第二の断面の周縁部同士を整合させて、第一のコネクタと第二のコネクタを連結させ、共通ユニットと測定ユニットとを単一の筐体にする。電源をＯＮにして、操作部からの入力に伴うＣＰＵからの測定指令によりメモリに記憶されたプログラムの手順にしたがって測定手段が固有の測定を行う。他の測定を行う場合は、電源をＯＦＦにして、筐体を共通ユニットと測定ユニットとに分割する。そして、他の測定機能を有する測定手段が収納されている共通ユニットを、同様にして共通ユニットに結合させる。
【発明の効果】
【００１０】
本発明に係る携帯型測定器によれば、筐体が共通ユニットと測定ユニットとに分割可能であって、共通ユニットが操作部と表示部とインターフェース部とＣＰＵとを備え、測定ユニットが測定手段とメモリとを備え、さらに、共通ユニットが操作部，表示部，インターフェース部，ＣＰＵ，並びにＣＰＵとメモリ及び測定手段との間でデータ及び制御信号を送受するための第一のコネクタを備え、測定ユニットが第一のコネクタに嵌合される第二のコネクタを備えており、第一のコネクタに第二のコネクタを嵌合して共通ユニットと測定ユニットとを単一の筐体にした状態で、操作部からの入力に伴うＣＰＵからの測定指令によりメモリに記憶されたプログラムの手順にしたがって測定手段が固有の測定を行う構成により、測定ユニット側に測定機能に応じたプログラムを有することとなり、そのプログラムを書き換えることなく、測定ユニットを交換することで異なる機能の測定を可能になる。
【００１１】
また、第一の断面の周縁部と第二の断面との周縁部とを整合させて、第一のコネクタと第二のコネクタとを連結することにより、結合された筐体をコンパクトでかつ携帯性の向上を図ることができる。
【発明を実施するための最良の形態】
【００１２】
以下、本発明の実施の形態を、図１〜図３を用いて具体的に説明する。
携帯型測定器１は、単一の筐体が分割された共通ユニット２と測定ユニット１０で構成されている。なお、本実施の形態においては、ＯＴＤＲ用の測定ユニットを用いた場合について説明する。
【００１３】
共通ユニット２は、各種測定ユニット１０と結合した場合、図２に示すように、いずれの測定ユニット１０においても使用される共通手段３を有する。共通手段３は、電源４と操作部５と表示部６と外部機器用インターフェース部７と制御部８とで構成されている。操作部５は測定の指示を入力するキーエンコーダである。表示部６は測定機能に応じた制御部８からの測定結果を表示するＬＣＤ等のフラットパネルである。外部機器用インターフェース部７は、キーボード，マウス，プリンタ等の外部機器との間でデータの入出力を行う部分である。制御部８はＣＰＵ８ａとワークメモリ８ｂとで構成されており、操作部５，後述する測定手段１１，表示部６，外部機器用インターフェース部７を制御する。制御部８，操作部５，表示部６及び外部機器用インターフェース部７は、それぞれバス接続されている。
【００１４】
共通ユニット２は、図１及び図３に示すように、その外形が略直方体となっている。図２に示すように、表示部６が設けられている表示面６ａの縦横の寸法は、厚さ方向の寸法よりも大きくなっている。図３（ａ）に示すように、表示面６ａの裏面は、単一の筐体の状態から分割された第一の断面６ｂとなっている。第一の断面６ｂには第一のコネクタ９が露出されている。第一のコネクタ９は制御部８，操作部５，測定手段１１，表示部６及び外部機器用インターフェース部７にバス接続されている。第一の断面６ｂの周縁部には、ゴム製のパッキン６ｃが枠状に設けられている。
【００１５】
ＯＴＤＲ用の測定ユニット１０には、ＯＴＤＲ用測定手段１１と、ＯＴＤＲ特有のプログラムが記憶されている記憶部１２が設けられている。ＯＴＤＲ用測定手段１１は、被測定光ファイバを接続する測定用端子と、方向性結合器と、発光部と、受光部と、増幅部と、Ａ／Ｄコンバータと、加算回路部と、タイミング発生部とで構成されている。
【００１６】
発光部は、方向性結合器を介して被測定光ファイバに所定波長の光を供給する。受光部は、発光部から供給された光によって被測定光ファイバからの反射光、例えば、後方散乱光及びフレネル反射光を上記方向性結合器を介して受光する。増幅部は、上記受光部からの反射光を増幅する。Ａ／Ｄコンバータは、増幅部からの出力信号（アナログ信号）をサンプリングする。加算回路部は、Ａ／Ｄコンバータでサンプリングされた各データが供給される。タイミング発生部は、上記発光部，Ａ／Ｄコンバータ及び加算回路部の個々のタイミングをとる信号を出力する。
【００１７】
記憶部であるメモリ１２は、制御部８からの指令に基づいてＯＴＤＲ用測定手段の測定機能に応じた測定をするための測定手段実行用プログラム１２ａと、測定により得られた測定データに基づいてＯＴＤＲ特有の演算処理を制御部８に実行させるための制御部実行用プログラム１２ｂと、測定データを格納保持させるＲＡＭ１２ｃと、で構成されている。
【００１８】
ＯＴＤＲ用測定ユニット１０は、共通ユニット２と同様、図１に示すように略直方体の外形を有している。背面１３の縦横の寸法は、表示面の寸法と同じであり、厚さ方向の寸法よりも大きくなっている。図３（ａ）に示すように、背面１３の裏側には、第二の断面１３ａが形成されている。第二の断面１３ａはその輪郭において第一の断面６ｂと同一である。第二の断面１３ａには、第二のコネクタ１４が露出されている。第二のコネクタ１４は、第一の断面６ｂと第二の断面１３ａとが対面するときに第一のコネクタ９と対向する位置に設けられている。第二のコネクタ１４はＯＴＤＲ用測定手段１１にバス接続されている。第二の断面１３ａの周縁部は、第一の断面の周縁部と同一の大きさ，同一形状であり、この周縁部に沿って、パッキン６ｃと嵌合する溝部１３ｂが枠状に形成されている。
【００１９】
また、第一の断面６ｂ及び第二の断面１３ａの四隅には、厚さ方向にネジ溝６ｄ，１３ｃが形成されている。第一の断面６ｂのネジ溝は、第二の断面１３ａと対面したときに、第二の断面１３ａのネジ溝１３ｃと連通するようになっており、ネジ１５によりネジ止めされ、共通ユニット２とＯＴＤＲ用測定ユニット１０が固定されるようになっている。
【００２０】
次に、本実施の形態の作用について説明する。まず、共通ユニット２の第一の断面６ｂと測定ユニット１０の第二の断面１３ａを対面させる。このとき、第一のコネクタ９と第二のコネクタ１４は対向している。そして、第二の断面１３ａの周縁部に形成されている溝部１３ｂに、第一の断面６ａの周縁部に形成されているパッキン６ｃを嵌合させるとともに、第一のコネクタ９と第二のコネクタ１４とを連結させる。これにより、第一の断面６ｂと第二の断面１３ａは密着され、単一の携帯型ＯＴＤＲとなる。
【００２１】
測定時には、測定ユニット１０側の測定用端子に被測定用光ファイバを接続し、共通ユニット２側の外部機器用インターフェース部７にプリンタ，マウス，キーボード等を接続して、共通ユニット１０側に設けられている電源４をＯＮにする。操作部５からの入力によりＣＰＵ８ａから測定指令が出力され、測定手段実行用プログラム１２ａの手順にしたがってＯＴＤＲ用測定手段１１が制御される。光ファイバの損失データが測定されると、測定データはメモリ１２ｃに格納保持される。
【００２２】
格納保持された測定データは、制御部実行用プログラム１２ｂにしたがって制御部８のワークメモリ８ｂ上で演算処理され、光ファイバ長，、光ファイバ損失等の測定データが得られる。この測定データは、操作部５の入力によりＣＰＵ８ａの指令を受けて、表示部６や外部機器インターフェース部７に出力される。
【００２３】
測定が終了すると、電源４をＯＦＦにして、被測定用光ファイバ，プリンタ，マウス，キーボード等を外す。そして、ネジ１５を外してから共通ユニット２と測定ユニット１０を分割する。この後、光スペクトラムアナライザを用いたい場合は、上述したＯＴＤＲ用測定ユニット１０と同じ断面を有する光スペクトラムアナライザ用測定ユニットを共通ユニット２に接合させる。また、電界強度測定器としたい場合は、電界強度測定器用測定ユニットに接合させる。
【００２４】
なお、第一の断面６ｂと第二の断面１３ａは、少なくともそれらの輪郭が同一で周縁部が整合すればよく、上述した実施の形態に示したような断面に限定されることはない。
【図面の簡単な説明】
【００２５】
【図１】本発明による携帯型測定器の概略斜視図である。
【図２】本発明による携帯型測定器のブロック構成図である。
【図３】（ａ）本発明による携帯型測定器の共通ユニットと測定ユニットの裏面図である。  （ｂ）本発明による携帯型測定器の概略断面図である。
【図４】従来の携帯型測定器の概略図である。
【符号の説明】
【００２６】
１  携帯型測定器
２  共通ユニット
３  共通手段
５  操作部
６  表示部
６ｂ  第一の第一の断面
７  外部機器インターフェース部
８  制御部
９  第一のコネクタ
１０  測定ユニット
１１  測定手段
１２  記憶部
１３ａ  第二の第二の断面
１４  第一のコネクタ
【図１】
2007147650.tif 000003
【図２】
2007147650.tif 000004
【図３】
2007147650.tif 000005
【図４】
2007147650.tif 000006
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
測定の指示を入力するための操作部（５）と、それ自体固有の測定を行う測定手段（１１）と、測定結果を表示する表示部（６）と、外部機器との間でデータの入出力を行うインターフェース部（７）と、前記操作部，前記測定手段，前記表示部及び前記インターフェース部を制御するＣＰＵ（８）と、該ＣＰＵが前記操作部，前記測定手段，前記表示部及び前記インターフェース部を制御するためのプログラムを記憶するメモリ（１２）と、前記操作部，前記測定手段，前記表示部，前記インターフェース部，前記メモリ及び前記ＣＰＵを収納し、表示面（６ａ）と背面（１３）とを含む筐体と、を備える携帯型測定器において、
前記筐体が、共通ユニット（２）と測定ユニット（１０）とに分割可能であって、
前記共通ユニットの分割されたところの前記表面部の裏面である第一の断面（６ｂ）と、
前記測定ユニットの分割されたところの前記背面の裏面である第二の断面（１３ａ）とはその輪郭において同じであり、
前記共通ユニットは、前記操作部，前記表示部，前記インターフェース部，前記ＣＰＵ，並びに前記ＣＰＵと前記メモリ及び前記測定手段との間でデータ及び制御信号を送受するための第一のコネクタ（９）を備えているとともに、前記表示面の縦横の寸法が厚さ方向の寸法より大きく、前記第一のコネクタが前記第一の断面に露出されており、
前記測定ユニットは、前記測定手段，前記メモリ及び前記第一の断面と前記第二の断面とが対面するときに前記第一のコネクタと対向する位置に設けられており、前記第一のコネクタに嵌合される第二のコネクタ（１４）を備えているとともに、前記背面の縦横の寸法が厚さ方向の寸法より大きく、前記第二のコネクタが前記第二の断面に露出されており、
前記メモリの内容に応じた前記固有の測定を行うことを特徴とする携帯型測定器。
【請求項２】
前記共通ユニット（２）および前記測定ユニット（１０）は、その外形が略直方体となっていることを特徴とする請求項１記載の携帯型測定器。
【請求項３】
前記測定手段（１１）は、被測定対象を接続する測定用端子を含むことを特徴とする請求項１または２記載の携帯型測定器。
【請求項４】
前記第一の断面（６ｂ）と前記第二の断面（１３ａ）とを整合させて前記共通ユニット（２）と前記測定ユニット（１０）とを固定させるとともに、前記第一のコネクタ（９）と前記第二のコネクタ（１４）との嵌合を確保するための固定手段を備えたことを特徴とする請求項１〜３のいずれかに記載の携帯型測定器。
【手続補正２】
【補正対象書類名】明細書
【補正対象項目名】０００６
【補正方法】変更
【補正の内容】
【０００６】
上記目的を達成するため、本発明の請求項１に記載された携帯型測定器は、測定の指示を入力するための操作部５と、それ自体固有の測定を行う測定手段１１と、測定結果を表示する表示部６と、外部機器との間でデータの入出力を行うインターフェース部７と、前記操作部，前記測定手段，前記表示部及び前記インターフェース部を制御するＣＰＵ８と、該ＣＰＵが前記操作部，前記測定手段，前記表示部及び前記インターフェース部を制御するためのプログラムを記憶するメモリ１２と、前記操作部，前記測定手段，前記表示部，前記インターフェース部，前記メモリ及び前記ＣＰＵを収納し、表示面６ａと背面１３とを含む筐体と、を備える携帯型測定器において、
前記筐体が、共通ユニット２と測定ユニット１０とに分割可能であって、
前記共通ユニットの分割されたところの前記表面部の裏面である第一の断面６ｂと、
前記測定ユニットの分割されたところの前記背面の裏面である第二の断面１３ａとはその輪郭において同じであり、
前記共通ユニットは、前記操作部，前記表示部，前記インターフェース部，前記ＣＰＵ，並びに前記ＣＰＵと前記メモリ及び前記測定手段との間でデータ及び制御信号を送受するための第一のコネクタ９を備えているとともに、前記表示面の縦横の寸法が厚さ方向の寸法より大きく、前記第一のコネクタが前記第一の断面に露出されており、
前記測定ユニットは、前記測定手段，前記メモリ及び前記第一の断面と前記第二の断面とが対面するときに前記第一のコネクタと対向する位置に設けられており、前記第一のコネクタに嵌合される第二のコネクタ１４を備えているとともに、前記背面の縦横の寸法が厚さ方向の寸法より大きく、前記第二のコネクタが前記第二の断面に露出されており、
前記メモリの内容に応じた前記固有の測定を行うことを特徴とする。
【手続補正３】
【補正対象書類名】明細書
【補正対象項目名】０００７
【補正方法】変更
【補正の内容】
【０００７】
本発明の請求項２に記載された携帯型測定器は、請求項１の携帯型測定器において、前記共通ユニット２および前記測定ユニット１０は、その外形が略直方体となっていることを特徴とする。
【手続補正４】
【補正対象書類名】明細書
【補正対象項目名】０００８
【補正方法】変更
【補正の内容】
【０００８】
本発明の請求項３に記載された携帯型測定器は、請求項１または２の携帯型測定器において、前記測定手段１１は、被測定対象を接続する測定用端子を含むことを特徴とする。
【手続補正５】
【補正対象書類名】明細書
【補正対象項目名】０００９
【補正方法】変更
【補正の内容】
【０００９】
本発明の請求項４に記載された携帯型測定器は、請求項１〜３のいずれかの携帯型測定器において、前記第一の断面６ｂと前記第二の断面１３ａとを整合させて前記共通ユニット２と前記測定ユニット１０とを固定させるとともに、前記第一のコネクタ９と前記第二のコネクタ１４との嵌合を確保するための固定手段を備えたことを特徴とする。
本発明の携帯型測定器は、第一の断面に対し、第二の断面を対面させる。第一の断面と第二の断面の周縁部同士を整合させて、第一のコネクタと第二のコネクタを連結させ、共通ユニットと測定ユニットとを単一の筐体にする。電源をＯＮにして、操作部からの入力に伴うＣＰＵからの測定指令によりメモリに記憶されたプログラムの手順にしたがって測定手段が固有の測定を行う。他の測定を行う場合は、電源をＯＦＦにして、筐体を共通ユニットと測定ユニットとに分割する。そして、他の測定機能を有する測定手段が収納されている共通ユニットを、同様にして共通ユニットに結合させる。